(57)【要約】【課題】  画面の切り換え操作を行うことなく、画像表示部に表示される複数の個別表示画像の情報を同時に確認することができる情報通信端末を提供する。【解決手段】  外部投影面２００に画像を投影するための画像投影部１３０と、画像表示部１１９に表示可能な互いに異なる複数種類の個別表示画像を外部投影面２００に一括投影するように画像投影部１３０を制御する制御部１１１とを設ける。例えば、複数種類の個別表示画像それぞれを外部投影面２００上の互いに異なる複数の個別投影領域２００ａ〜２００ｄに振り分けて投影する。また、利用者が個別表示画像を指定し、その指定された個別表示画像を外部投影面２００に一括投影するように制御してもよい。【選択図】  図１
2005094718.tif 000002
【特許請求の範囲】
【請求項１】
画像を表示する画像表示部を有する画像表示手段と、外部投影面に画像を投影するための画像投影手段と、該画像表示手段及び該画像投影手段を制御する制御手段とを備えた情報通信端末であって、
該制御手段は、該画像表示部に表示可能な互いに異なる複数種類の個別表示画像を該外部投影面に一括投影するように該画像投影手段を制御することを特徴とする情報通信端末。
【請求項２】
請求項１の情報通信端末において、
上記複数種類の個別表示画像それぞれを、上記外部投影面上の互いに異なる複数の個別投影領域に振り分けて投影することを特徴とする情報通信端末。
【請求項３】
請求項１又は２の情報通信端末において、
上記画像表示手段は複数の画像表示部を有し、
上記外部投影面に一括投影する複数種類の個別表示画像は、各画像表示部に表示される互いに異なる個別表示画像であることを特徴とする情報通信端末。
【請求項４】
請求項１乃至３のいずれかの情報通信端末において、
上記外部投影面に一括投影する個別表示画像を利用者が指定するための投影画像指定手段を備え、
上記制御手段は、該投影画像指定手段で指定された個別表示画像を投影するように上記画像投影手段を制御することを特徴とする情報通信端末。
【請求項５】
請求項１乃至４のいずれかの情報通信端末において、
アプリケーションプログラムの実行環境を管理するアプリケーション実行管理手段を備え、
上記制御手段は、該アプリケーション実行管理手段から画像投影の指令を受けたときに上記画像投影手段を起動して画像投影を開始するように制御することを特徴とする情報通信端末。
【発明の詳細な説明】
【技術分野】
【０００１】
本発明は、画像を投影することができる携帯電話機等の情報通信端末に関するものである。
【背景技術】
【０００２】
従来、この種の情報通信端末として、画像表示部としてのディスプレイと、画像投影手段としてのプロジェクタと、これらのディスプレイ及びプロジェクタを制御する制御手段とを備えた携帯電話機が知られている（例えば、特許文献１参照）。この携帯電話機は、ディスプレイに表示される画像の少なくとも一部をプロジェクタを介して外部の投影面に拡大投影するように構成されている。この携帯電話機では、ディスプレイの画面に表示されている画像の一部を外部の投影面に拡大投影したり、その画面の画像の全体を投影面に拡大投影したりすることができる。
【特許文献１】特開２００１−２１９９２号公報
【発明の開示】
【発明が解決しようとする課題】
【０００３】
しかしながら、上記従来の携帯電話機においては、ディスプレイに表示される１つの個別表示画像の一部又は全体を投影するものであったので、同時に確認できる情報が、ディスプレイ上の個別表示画像の情報を上回ることがないという問題点があった。投影面上に投影される画像で多くの情報を得ようとすると、ディスプレイに表示する画像の場合と同様に画像を切り換える操作が必要になってしまう。
【０００４】
本発明は以上の問題点に鑑みてなされたものである。その目的は、画面の切り換え操作を行うことなく、画像表示部に表示される複数の個別表示画像の情報を同時に確認することができる情報通信端末を提供することである。
【課題を解決するための手段】
【０００５】
上記目的を達成するために、請求項１の発明は、画像を表示する画像表示部を有する画像表示手段と、外部投影面に画像を投影するための画像投影手段と、該画像表示手段及び該画像投影手段を制御する制御手段とを備えた情報通信端末であって、該制御手段は、該画像表示部に表示可能な互いに異なる複数種類の個別表示画像を統合して該外部投影面に一括投影するように該画像投影手段を制御することを特徴とするものである。
ここで、上記一括投影の態様は特定のものに限定されるものではない。例えば、次の請求項２のように複数種類の個別表示画像それぞれを外部投影面上の互いに異なる複数の個別投影領域に振り分けて投影してもいいし、複数種類の個別表示画像を互いに重ね合わせるように投影してもよい。
上記重ね合わせ投影の場合は、例えば１つの個別表示画像の一部に埋め込み投影領域を設定しておき、その埋め込み投影領域に他の個別表示画像を埋め込むように投影する。また、各個別表示画像に優先順位を設定しておき、各個別表示画像間で重ね合わさった部分については優先順位の高い画像を優先的に投影するようにしてもよい。上記埋め込み投影領域の形状は特定の形状の限定されるものではなく、任意に設定することができる。更に、上記重ね合わせ投影の場合は、１つの個別表示画像を背景画像とし、その背景画像上に他の個別表示画像の文字部分のみが表示されるように、他の個別表示画像を文字部分が残った透過画像として重ね合わせて投影するようにしてもよい。
また、請求項２の発明は、請求項１の情報通信端末において、上記複数種類の個別表示画像それぞれを、上記外部投影面上の互いに異なる複数の個別投影領域に振り分けて投影することを特徴とするものである。
また、請求項３の発明は、請求項１又は２の情報通信端末において、上記画像表示手段は複数の画像表示部を有し、上記外部投影面に一括投影する複数種類の個別表示画像は、各画像表示部に表示される互いに異なる個別表示画像であることを特徴とするものである。
また、請求項４の発明は、請求項１乃至３のいずれかの情報通信端末において、上記外部投影面に一括投影する個別表示画像を利用者が指定するための投影画像指定手段を備え、上記制御手段は、該投影画像指定手段で指定された個別表示画像を投影するように上記画像投影手段を制御することを特徴とするものである。
また、請求項５の発明は、請求項１乃至４のいずれかの情報通信端末において、アプリケーションプログラムの実行環境を管理するアプリケーション実行管理手段を備え、上記制御手段は、該アプリケーション実行管理手段から画像投影の指令を受けたときに上記画像投影手段を起動して画像投影を開始するように制御することを特徴とするものである。
【０００６】
請求項１の情報通信端末では、画像表示部に表示可能な複数種類の個別表示画像を外部投影面に一括投影する。この外部投影面上の画像を利用者が見ることにより、複数種類の個別表示画像を同時に確認することができる。しかも、これらの複数種類の個別表示画像を確認するために、利用者が画面の切り換え操作を行う必要がない。
請求項２の情報通信端末では、複数種類の個別表示画像それぞれを外部投影面上の互いに異なる複数の個別投影領域に振り分けて投影することにより、各個別表示画像を互いに重ならないように投影し、各個別表示画像間の干渉を回避することができる。
請求項３の情報通信端末では、複数の画像表示部に表示される複数種類の個別表示画像を同じ外部投影面に一括投影する。この外部投影面上の画像を利用者が見ることにより、各画像表示部に表示される複数種類の個別表示画像を同時に確認することができる。
請求項４の情報通信端末では、利用者が投影画像指定手段で指定した個別表示画像を外部投影面に一括投影する。
請求項５の情報通信端末では、アプリケーション実行管理手段から画像投影の指令を受けたときに画像投影手段を起動して画像投影を開始し、画像投影を行わないときには画像投影手段の動作を停止する。これにより、画像投影を行わないときに画像投影手段で無駄な電力を消費しないようにする。
【０００７】
なお、上記「情報通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone Service）、自動車電話等の電話機のほか、携帯電話モジュールを付加した情報通信端末や、固定電話機も含まれる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００８】
請求項１乃至５の発明によれば、画像表示部に表示可能な複数種類の個別表示画像を外部投影面に一括投影することにより、利用者は画面の切り換え操作を行うことなく、外部投影面上で複数種類の個別表示画像を同時に確認することができるという効果がある。
特に、請求項２の情報通信端末では、複数種類の個別表示画像それぞれを互いに重ならないように投影し、各個別表示画像間の干渉を回避することができるので、各個別表示画像の全体を確実に視認できるという効果がある。
特に、請求項３の情報通信端末では、同じ外部投影面上で、複数の画像表示部に表示される互いに異なる複数種類の個別表示画像を同時に確認することができるという効果がある。
特に、請求項４の情報通信端末では、外部投影面上に一括投影する個別表示画像を利用者が指定することができるという効果がある。
特に、請求項５の情報通信端末では、画像投影を行っていないときの画像投影手段による無駄な電力消費を防止することができるという効果がある。
【発明を実施するための最良の形態】
【０００９】
以下、本発明の実施の形態を図面を参照しながら説明する。
図２は、本発明の実施形態に係る情報通信端末としての携帯電話機の概略構成の一例を示すブロック図である。この携帯電話機の本体部分１００は、制御手段としての制御部１１１、内部メモリ１１２、情報受信手段としての無線通信部１１３及びアンテナ１１４を備えている。また、制御部１１１には、音声処理部１１５を介してマイク１１６及びスピーカ１１７が接続され、画像処理部１１８を介して画像表示部１１９が接続され、更にキー操作部１２０が接続されている。
また、本実施形態の携帯電話機は、利用者が視認可能な外部投影面（以下、単に「投影面」という）２００に画像を投影するための画像投影手段としての画像投影部１３０を備えている。この画像投影部１３０については後述する。
【００１０】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、更に、制御手段１１１は、後述の画像投影部１３０への画像投影を制御する制御手段としても用いられる。
【００１１】
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。更に、この内部メモリ１１２は、スピーカ１１７から出力する音のデータ、画像表示部１１９に表示する画像データ及び画像投影部１３０で投影する画像のデータを記憶するデータ記憶手段としても用いられる。
【００１２】
上記無線通信部１１４は制御部１１１で制御され、アンテナ１１４を介して、所定の通信方式により通信ネットワークとしての携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
【００１３】
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。音を出力する音出力手段は、音声処理部１１５及びスピーカ１１７を用いて構成されている。
【００１４】
上記画像処理部１１８は、無線通信部１１３で受信した画像データや、内部メモリ１１２に記憶されているアイコンやメニュー、着信通知画像等の画像データを処理し、液晶ディスプレイ（ＬＣＤ）等からなる画像表示部１１９に表示させる。画像表示手段は、画像処理部１１８及び画像表示部１１９を用いて構成されている。
【００１５】
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。このキー操作部１２０は、画像表示部１１９に切り替えて表示可能な複数の個別表示画像のうち投影面に一括投影する個別表示画像を利用者が指定するための投影画像指定手段としても用いられる。
【００１６】
図３は、上記画像投影部１３０の一構成例を示すブロック図である。この画像投影部１３０はビーム光源１３１と光学スキャナー１３２とそれらを駆動するための駆動制御部１３３とを用いて構成されている。ビーム光源１３１としては、ＬＤ（半導体レーザ）やＬＥＤ（発光ダイオード）等を用いることができる。ビーム光源１３１から出射されるビーム光の強度は、制御部１１１から送られてきた制御データに基づいて駆動制御部１３３により制御される。光学スキャナー１３２は、ビーム光源１３１から発したビーム光を２次元的に走査しながら投影面２００に投射する光学装置である。光学スキャナー１３２によるビーム光の走査は、ビーム光源１３１と同様に駆動制御部１３３により駆動制御される。この光学スキャナー１３２としては、例えば小型で高速走査が可能なガルバノミラーを用いたものを使用することができる。また、上記駆動制御部１３３は、画像データを記憶する画像メモリを有し、予め設定登録された投影対象の画像データや、制御部１１１から制御データとともに送られてきた投影対象の画像データが記憶される。この画像メモリに記憶されている画像データに基づいて、上記ビーム光源１３１及び光学スキャナー１３２が駆動制御される。
上記ビーム光源１３１として互いに波長が異なる複数種類のビーム光（例えば３原色ビーム光）を出射可能なものを用い、各ビーム光を同時に走査して投射すれば、カラー画像を投影面２００上に投影することができる。
また、上記ビーム光源１３１として、互いに独立に強度制御可能な発光点が１列状に並んだ１次元アレイ素子からなる光源を用いることもできる。この場合は、光源から出射されたライン状の光を光学スキャナー１３２で１次元的に走査すればよい。
また、上記ビーム光源１３１として、互いに独立に強度制御可能な発光点が２次元的に並んだ２次元アレイ素子からなる光源を用いることもできる。この場合は、光学スキャナー１３２の代わりに、光源上に表示された２次元的な画像を拡大して投影面２００上に投影する拡大投影光学系を用いる。
【００１７】
図４は、上記画像投影部１３０の他の構成例を示すブロック図である。この画像投影部１３０は、ランプ等の光源１３４と、空間光変調器１３５と、拡大投影光学系１３６と、駆動制御部１３３とを用いて構成されている。
空間光変調器１３５としては、例えば通常の携帯電話機等で使用されている液晶ディスプレイを用いることができる。この場合は、透過型の液晶ディスプレイでの表示モードとは反対に画像を白黒反転させて表示する。このように白黒反転して表示した液晶ディスプレイの表面に光源１３４からの光を照射し、その反射像を拡大投影光学系１３６で拡大して投影面２００上に投影する。なお、この液晶ディスプレイとしては、通常の携帯電話機等で設けられている液晶ディスプレイを兼用してもよい。
また、空間光変調器１３５としては、互いに独立に傾きを制御可能な小型のミラーを２次元的に並べたものを使用することもできる。この場合は、画像データに基づいて、各ミラーの傾きを制御し、各ミラーから投影面２００側へ向かう光の反射光をオン／オフする。この空間光変調器１３５からの反射像は、拡大投影光学系１３６で拡大して投影面２００上に投影される。
【００１８】
また、上記画像投影部１３０の構成は図３や図４の構成に限定されるものではない。例えば、ホログラム素子を用いて投影するような構成であってもよい。
また、上記画像の投影は広角で行うように構成してもよい。例えば、部屋の内壁面全体を投影面にみたてて画像を広角的に投影するようにしてもよい。この場合は、例えばプラネタリウムのごとく部屋全体に星空がきらめく天空の画像を投影するように、今までにない趣向を凝らした着信通知が可能になる。
【００１９】
図１は、上記画像投影部１３０を備えた折り畳み式の携帯電話機１００で画像を投影している様子を示した説明図である。この携帯電話機１００は、待ち受け状態で、画像投影部１３０の光出射口を所望の投影面２００に向けて机の上に置いたり、携帯電話機用の充電器にセットしたりしておく。また、利用者は、キー操作部１２０を操作することにより、画像投影を行わない通常の画像表示モード及び画像投影を行う画像投影モードのいずれかに設定しておく。そして、本実施形態の携帯電話機１００は、画像投影モードの実行時に、次に示すように画像表示部１９０に表示可能な互いに異なる複数種類の個別表示画像を統合して投影面２００に一括投影することができるように構成されている。図１の例では、投影面２００の４分割された個別投影領域（以下「分割投影領域」という）２００ａ〜２００ｄそれぞれに、画像表示部１９０に表示可能な互いに異なる４種類の個別表示画像を投影することができる。
【００２０】
図５は、携帯電話機１００から投影面２００に投影される投影画像の例を示した説明図である。図６は、図５の画像を投影するときの制御部１１１での投影制御処理の概略を示すフローチャートである。この携帯電話機１００は、画像投影モードの実行中に、通常の画像表示モードで画像表示部１９０に表示可能な４種類の個別表示画像Ａ〜Ｄを投影面２００上に一括投影する。
【００２１】
制御部１１１の投影制御処理では、まず各個別表示画像に用いるデータを取得する（ステップ１）。
ここで、第１の個別表示画像Ａは、第１の分割投影領域２００ａ上に投影される日付・時刻表示画像である。この日付・時刻表示画像に用いるデータは、制御部１１１内の図示しない時計部で生成される。
第２の個別表示画像Ｂは、第２の分割投影領域２００ｂ上に投影される着信通知画像である。この着信通知画像に用いるデータは、無線通信部１１３で電話、メール、携帯電話通信網上のサーバーからの情報等を着信したときに、制御部１１１で生成される。
第３の個別表示画像Ｃは、第３の分割投影領域２００ｃ上に投影される受信情報表示画像である。この受信情報表示画像に用いるデータは、無線通信部１１３で携帯電話通信網上のサーバーから受信し内部メモリ１１２の所定領域に保存されている新着情報データに基づいて制御部１１１で生成される。
第４の個別表示画像Ｄは、第４の分割投影領域２００ｄ上に投影されるグリーティングカードの画像である。このグリーティングカードの画像に用いるデータは、例えば内部メモリ１１２に予め保存されている複数種類のライブラリー画像の中から特定の日付・時刻に関連付けて選択された画像のデータに基づいて、制御部１１１で生成される。
【００２２】
次に、上記各個別表示画像Ａ〜Ｄのデータに基づいて、各個別表示画像Ａ〜Ｄを図５に示すような一つの投影画像に統合する処理を実行し（ステップ２）、画像投影部１３０で投影する投影画像の画像データを生成する（ステップ３）。この制御部１１１で生成した画像データが画像投影部１３０に送られ、図５に示すような４つの個別表示画像が統合された画像が投影面２００上に投影される。
【００２３】
以上、本実施形態によれば、画像表示部１１９に表示可能な４種類の個別表示画像を統合して投影面２００に一括投影することにより、利用者は画面の切り換え操作を行うことなく、投影面２００上で４種類の個別表示画像を同時に確認することができる。
また、本実施形態によれば、４種類の個別表示画像それぞれを外部投影面２００上の互いに異なる複数の分割投影領域２００ａ〜２００ｄに振り分けて投影している。このように振り分けて投影することにより、４種類の個別表示画像それぞれを互いに重ならないように投影し、各個別表示画像間の干渉を回避することができるので、各個別表示画像の全体を確実に視認できる。
【００２４】
なお、上記実施形態において、携帯電話機１００が複数の画像表示部を有する場合、各画像表示部に表示される個別表示画像を統合して一つの投影面に投影するようにしてもよい。例えば携帯電話機１００が正面ディスプレイと背面ディスプレイとの２つの画像表示部を有する場合、図７（ａ）及び（ｂ）のように各ディスプレイ（個別表示部）に表示される画像を統合して一つの投影面に投影する。図７（ａ）は、携帯電話機で実行しているゲームのアプリケーションプログラムの画像（正面のディスプレイに表示される画像）と、待ち受け画像（背面ディスプレイに表示される画像）とを一括して投影面に投影した例である。また、図７（ｂ）は、携帯電話機で実行している２人用ゲームのアプリケーションプログラムのプレーヤ１用の画像（正面のディスプレイに表示される画像）と、プレーヤ２用の画像（背面ディスプレイに表示される画像）とを一括して投影面に投影した例である。
このように複数の画像表示部１１９に表示される個別表示画像を統合して一つの投影面２００に投影することにより、同じ投影面２００上で、複数の画像表示部１１９に表示される互いに異なる複数種類の個別表示画像を同時に確認することができる。
【００２５】
また、上記実施形態において、図８に示す投影制御処理を実行し、上記投影面２００に統合して投影する個別表示画像を利用者が指定できるようにしてもよい。この場合、画像の投影のためのデータ取得等に先立って、利用者が投影画像指定手段としてのキー操作部１２０を操作して投影対象の個別表示画像を指定する。この指定された個別表示画像のみを統合して投影面２００に一括投影する。この場合は、投影面２００上に一括投影する個別表示画像を利用者が指定することができ、利用者の希望に応じた画像の投影が可能になる。
【００２６】
また、上記実施形態において、投影対象の画像がないときには画像投影部１３０の動作を停止しておき、制御部１１１が画像投影の指令を外部から受けたときや画像投影のタイミングであると判断したときに画像投影部１３０を起動して画像投影を開始するように制御してもよい。この場合は、画像投影を行わないときには画像投影部１３０の動作を停止しておくことにより、画像投影部１３０で無駄な電力を消費しないようにする。したがって、画像投影を行わないときの画像投影部１３０による無駄な電力消費を防止し、携帯電話機１００内の電池の消耗を防止できる。
【００２７】
また、上記実施形態の携帯電話機１００は、前述のように、プラットフォームに依存しないオブジェクト指向プログラミングによって開発されたアプリケーションプログラムを実行可能に構成してもよい。そして、上記画像投影部１３０の起動やその画像投影部１３０による画像の投影動作を、アプリケーションプログラムからの指令に基づいて実行するようにしてもよい。上記アプリケーションプログラムとしては、ＪＡＶＡ（登録商標）、Ｃ言語、ＢＲＥＷ（登録商標）等で記述されたアプリケーションプログラムが挙げられる。このアプリケーションプログラムは、携帯電話機１００にプレインストールされているものであってもいいし、通信ネットワークとしての携帯電話通信網を介してダウンロードサーバからダウンロードし携帯電話機１００に保存して登録したものでもよい。
【００２８】
図９は、アプリケーションプログラムを実行可能な携帯電話機の概略構成の一例を示すブロック図であり、図１０は、その携帯電話機におけるソフトウェア構造の一例を示す説明図である。この携帯電話機は、前述の制御部１１１等のほか、アプリケーションプログラムの実行環境を管理するアプリケーションプログラム実行管理手段としてのアプリケーションプログラム実行管理部１５０を備えている。このアプリケーションプログラム実行管理部１５０は、システムバス、ＣＰＵやＲＡＭ等で構成され、アプリケーションプログラムを実行するための所定のミドルウェアにしたがって動作する。アプリケーションプログラム実行管理部１５０は、図１０のソフトウェア構造上において中央の「プログラム実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。
ここで、アプリケーションプログラムは、クラスライブラリＡＰＩ（アプリケーションインターフェース）を介して上記プログラム実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで保持される。また、プログラム実行環境内の実行環境管理ライブラリは、電話機プラットフォームＡＰＩを介して後述の電話機プラットフォーム内の電話機プラットフォームライブラリを呼び出して使用できるようになっている。
上記画像投影の制御は、アプリケーションプログラム実行管理部１５０から制御部１１１を介して画像投影部１３０に制御指令を送ることによって実行する。なお、図９中の破線で示すようにアプリケーションプログラム実行管理部１５０から画像投影部１３０に制御指令を直接送ることによって実行するように構成してもよい。
【００２９】
上記構成の携帯電話機において、待ち受け用アプリケーションプログラムやゲームなどのアプリケーションプログラムの実行中に、画像の投影を行うときは、アプリケーションプログラムからアプリケーションプログラム実行環境に対し、画像投影起動要求指令のための所定の関数の呼び出しを行う。この関数の呼び出しを受けたアプリケーションプログラム実行環境は、制御部１１１に対し、画像投影起動要求指令を送る。この画像投影起動要求指令を受けた制御部１１１は、画像投影部１３０に対して起動要求指令及び画像投影用制御データを送る。
画像投影部１３０は、上記起動要求指令に応じて起動し、上記画像投影用制御データに基づいて制御データで指定された所定の画像の投影を開始する。
【００３０】
なお、画像投影部１３０の起動及び画像投影動作を実行させるアプリケーションプログラムは、着信通知画像を投影する待ち受け用アプリケーションプログラムであってもいいし、その他の例えばプロジェクタ機能の制御に特化したアプリケーションプログラムであってもよい。
【００３１】
また、上記各実施形態において、画像投影部１３０に投影する画像のコンテンツデータには投影専用か否かを識別するための識別子を付加するようにしてもよい。そして、この画像のコンテンツデータに付加されている識別子のデータを解析し、その解析結果に基づいて、その画像を画像投影部１３０で投影するか否か等の制御を行うようにしてもよい。
【図面の簡単な説明】
【００３２】
【図１】本発明の実施形態に係る携帯電話機で画像を投影している様子を示した説明図。
【図２】本発明の実施形態に係る携帯電話機の概略構成の一例を示すブロック図。
【図３】同携帯電話機の画像投影部の一構成例を示すブロック図。
【図４】同画像投影部の他の構成例を示すブロック図。
【図５】同画像投影部で投影する画像の説明図。
【図６】同携帯電話機の制御部における投影制御処理のフローチャート。
【図７】（ａ）及び（ｂ）は他の実施形態に係る携帯電話機で投影する画像の説明図。
【図８】他の実施形態に係る携帯電話機の制御部における投影制御処理のフローチャート。
【図９】アプリケーションプログラム実行可能な携帯電話機の概略構成の一例を示すブロック図。
【図１０】同携帯電話機におけるソフトウェア構造の一例を示す説明図。
【符号の説明】
【００３３】
１００  携帯電話機
１１１  制御部
１１３  無線通信部
１３０  画像投影部
２００  投影面
２００ａ〜２００ｄ  分割投影領域
【図１】
2005094718.tif 000003
【図２】
2005094718.tif 000004
【図３】
2005094718.tif 000005
【図４】
2005094718.tif 000006
【図５】
2005094718.tif 000007
【図６】
2005094718.tif 000008
【図７】
2005094718.tif 000009
【図８】
2005094718.tif 000010
【図９】
2005094718.tif 000011
【図１０】
2005094718.tif 000012
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
画像を表示する画像表示手段と、外部投影面に画像を投影するための画像投影手段と、該画像表示手段及び該画像投影手段を制御する制御手段とを備えた情報通信端末であって、
該制御手段は、互いに異なる複数種類の個別画像を統合して投影画像の画像データを生成し、この画像データを該画像投影手段に送って該投影画像を該外部投影面に投影するように該画像投影手段を制御することを特徴とする情報通信端末。
【請求項２】
請求項１の情報通信端末において、
上記複数種類の個別画像それぞれを、上記外部投影面上の互いに異なる複数の個別投影領域に振り分けて投影することを特徴とする情報通信端末。
【請求項３】
請求項１又は２の情報通信端末において、
上記画像表示手段は複数の表示部を有し、
上記外部投影面に投影する複数種類の個別画像は、各表示部に表示される互いに異なる個別表示画像であることを特徴とする情報通信端末。
【請求項４】
請求項１乃至３のいずれかの情報通信端末において、
上記外部投影面に投影する個別画像を利用者が指定するための投影画像指定手段を備え、
上記制御手段は、該投影画像指定手段で指定された個別画像を統合して投影画像のデータを生成することを特徴とする情報通信端末。
【請求項５】
請求項１乃至４のいずれかの情報通信端末において、
上記画像投影手段で投影する画像のデータに、投影専用か否かを識別するための識別子を付加したことを特徴とする情報通信端末。
【請求項６】
請求項１乃至５のいずれかの情報通信端末において、
アプリケーションプログラムの実行環境を管理するアプリケーション実行管理手段を備え、
上記制御手段は、該アプリケーション実行管理手段から画像投影の指令を受けたときに上記画像投影手段を起動して画像投影を開始するように制御することを特徴とする情報通信端末。
【手続補正２】
【補正対象書類名】明細書
【補正対象項目名】０００４
【補正方法】変更
【補正の内容】
【０００４】
本発明は以上の問題点に鑑みてなされたものである。その目的は、画面の切り換え操作を行うことなく、画像表示部に表示される複数の個別表示画像の情報を同時に確認することができる情報通信端末を提供することである。
【手続補正３】
【補正対象書類名】明細書
【補正対象項目名】０００５
【補正方法】変更
【補正の内容】
【０００５】
上記目的を達成するために、請求項１の発明は、画像を表示する画像表示手段と、外部投影面に画像を投影するための画像投影手段と、該画像表示手段及び該画像投影手段を制御する制御手段とを備えた情報通信端末であって、該制御手段は、互いに異なる複数種類の個別画像を統合して投影画像の画像データを生成し、この画像データを該画像投影手段に送って該投影画像を該外部投影面に投影するように該画像投影手段を制御することを特徴とするものである。
ここで、上記投影の態様は特定のものに限定されるものではない。例えば、次の請求項２のように複数種類の個別画像それぞれを外部投影面上の互いに異なる複数の個別投影領域に振り分けて投影してもいいし、複数種類の個別画像を互いに重ね合わせるように投影してもよい。
上記重ね合わせ投影の場合は、例えば１つの個別画像の一部に埋め込み投影領域を設定しておき、その埋め込み投影領域に他の個別画像を埋め込むように投影する。また、各個別画像に優先順位を設定しておき、各個別画像間で重ね合わさった部分については優先順位の高い画像を優先的に投影するようにしてもよい。上記埋め込み投影領域の形状は特定の形状の限定されるものではなく、任意に設定することができる。更に、上記重ね合わせ投影の場合は、１つの個別画像を背景画像とし、その背景画像上に他の個別画像の文字部分のみが表示されるように、他の個別画像を文字部分が残った透過画像として重ね合わせて投影するようにしてもよい。
また、請求項２の発明は、請求項１の情報通信端末において、上記複数種類の個別画像それぞれを、上記外部投影面上の互いに異なる複数の個別投影領域に振り分けて投影することを特徴とするものである。
また、請求項３の発明は、請求項１又は２の情報通信端末において、上記画像表示手段は複数の表示部を有し、上記外部投影面に投影する複数種類の個別画像は、各表示部に表示される互いに異なる個別表示画像であることを特徴とするものである。
また、請求項４の発明は、請求項１乃至３のいずれかの情報通信端末において、上記外部投影面に投影する個別画像を利用者が指定するための投影画像指定手段を備え、上記制御手段は、該投影画像指定手段で指定された個別画像を統合して投影画像のデータを生成することを特徴とするものである。
また、請求項５の発明は、請求項１乃至４のいずれかの情報通信端末において、上記画像投影手段で投影する画像のデータに、投影専用か否かを識別するための識別子を付加したことを特徴とするものである。
また、請求項６の発明は、請求項１乃至５のいずれかの情報通信端末において、アプリケーションプログラムの実行環境を管理するアプリケーション実行管理手段を備え、上記制御手段は、該アプリケーション実行管理手段から画像投影の指令を受けたときに上記画像投影手段を起動して画像投影を開始するように制御することを特徴とするものである。
【手続補正４】
【補正対象書類名】明細書
【補正対象項目名】０００６
【補正方法】変更
【補正の内容】
【０００６】
請求項１乃至６の情報通信端末では、互いに異なる複数種類の個別画像を統合して投影画像の画像データを生成し、この画像データを画像投影手段に送って投影画像を外部投影面に投影する。この外部投影面上の画像を利用者が見ることにより、複数種類の個別画像を同時に確認することができる。しかも、これらの複数種類の個別画像を確認するために、利用者が画面の切り換え操作を行う必要がない。
特に、請求項２の情報通信端末では、複数種類の個別画像それぞれを外部投影面上の互いに異なる複数の個別投影領域に振り分けて投影することにより、各個別画像を互いに重ならないように投影し、各個別画像間の干渉を回避することができる。
特に、請求項３の情報通信端末では、複数の表示部に表示される複数種類の個別画像を同じ外部投影面に投影する。この外部投影面上の画像を利用者が見ることにより、各表示部に表示される複数種類の個別画像を同時に確認することができる。
特に、請求項４の情報通信端末では、利用者が投影画像指定手段で指定した個別画像を外部投影面に投影する。
特に、請求項５の情報通信端末では、画像のデータに付加された識別子を解析し、その解析結果に基づいて、その画像を画像投影手段で投影するか否か等の制御を行う。
特に、請求項６の情報通信端末では、アプリケーション実行管理手段から画像投影の指令を受けたときに画像投影手段を起動して画像投影を開始し、画像投影を行わないときには画像投影手段の動作を停止する。これにより、画像投影を行わないときに画像投影手段で無駄な電力を消費しないようにする。
【手続補正５】
【補正対象書類名】明細書
【補正対象項目名】０００７
【補正方法】変更
【補正の内容】
【０００７】
なお、上記「情報通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone System）、自動車電話等の電話機のほか、携帯電話モジュールを付加した情報通信端末や、固定電話機も含まれる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【手続補正６】
【補正対象書類名】明細書
【補正対象項目名】０００８
【補正方法】変更
【補正の内容】
【０００８】
請求項１乃至６の発明によれば、互いに異なる複数種類の個別画像を統合して外部投影面に投影することにより、利用者は画面の切り換え操作を行うことなく、外部投影面上で複数種類の個別画像を同時に確認することができるという効果がある。
特に、請求項２の情報通信端末では、複数種類の個別画像それぞれを互いに重ならないように投影し、各個別画像間の干渉を回避することができるので、各個別画像の全体を確実に視認できるという効果がある。
特に、請求項３の情報通信端末では、同じ外部投影面上で、複数の表示部に表示される互いに異なる複数種類の個別画像を同時に確認することができるという効果がある。
特に、請求項４の情報通信端末では、外部投影面上に投影する個別画像を利用者が指定することができるという効果がある。
特に、請求項５の情報通信端末では、画像のデータに付加された識別子の解析結果に基づいて、その画像を画像投影手段で投影するか否か等の制御を行うことができるという効果がある。
特に、請求項６の情報通信端末では、画像投影を行っていないときの画像投影手段による無駄な電力消費を防止することができるという効果がある。